(57)【要約】【課題】簡単な構成によって確実な止水を可能とするとともに、装置全体を小型化し、かつ、水資源の無駄遣いをなくす自動止水装置を提供する。【解決手段】自動止水装置１を、給水入口と給水排出口と流路を備えたケース１０と、流路を開閉するためのバルブを備えたバルブ本体２０と、ケース１０に回動可能に支持されバルブ本体２０が軸方向に動くのを阻止するためのフック３０と、バルブ本体２０を常時閉栓方向に付勢するためのスプリング６０と、フック３０をバルブ本体２０と係合する方向に回動可能に付勢するためのスプリング７０とで構成した。【選択図】図２
2012042043.tif 000002
【特許請求の範囲】
【請求項１】
給水入口と給水排出口と該給水入口と該給水排出口をつなぐ流路を備えたケースと、
前記ケース内に設けられ軸方向に摺動可能に支持されるとともに前記流路を開閉するためのバルブを備えたバルブ本体と、
前記ケースに回動可能に支持されるとともに前記バルブ本体と係合し該バルブ本体が軸方向に動くのを阻止するためのフックと、
前記バルブ本体を常時閉栓方向に付勢するためのスプリングと、
前記フックを前記バルブ本体と係合する方向に回動可能に付勢するためのスプリングと、
所定の水位に達したことを検出するフロートと、
からなる自動止水装置であって、
前記バルブ本体は前記ケースの給水路を開閉するバルブと、
該ケースに軸方向に摺動可能に軸支されたバルブ軸と、
前記フックと係合しバルブ本体が軸方向に摺動することを阻止するフック当接部とを有するとともに、
前記フックは前記バルブ本体のフック当接部と係合可能なバルブ軸係合部と前記フロートが上昇し当接することで上昇方向の動きを回転方向の動きに変換するための当接部とを備え、
前記フロートが上昇し前記フックの当接部に当接することで該フックが回転し、バルブ本体とフックの係合が解除されることでバルブが流路を閉栓し止水を可能とすることを特徴とする自動止水装置。
【請求項２】
前記ケースは筒状に形成され、前記バルブ本体および前記フックがケースの中心に対して一方に偏心して設けられていることを特徴とする請求項１記載の自動止水装置。
【請求項３】
前記ケースには、取り付け位置が調整可能な取り付けフックが設けられていることを特徴とする請求項１または２に記載の自動止水装置。
【請求項４】
前記バルブ本体には、バルブ本体のバルブを開栓状態にセットするためのノブが形成されていることを特徴とする請求項１乃至３に記載の自動止水装置。
【請求項５】
前記バルブ本体のフック当接部または前記フックのバルブ軸係合部の少なくとも一方にはローラーが設けられ、該ローラーを介して両者が当接するようにしたことを特徴とする請求項１乃至４に記載の自動止水装置。
【請求項６】
前記フックの当接部は傾斜面で構成されたことを特徴とする請求項１乃至５に記載の自動止水装置。
【請求項７】
前記フックの当接部にはローラーが設けられたことを特徴とする請求項１乃至６に記載の自動止水装置。
【発明の詳細な説明】
【技術分野】
【０００１】  本発明は、例えば浴槽等に取り付け、浴槽への給水が所定の水位に達した際にその給水を自動的に停止するための自動止水装置に関し、特に小型で安価、かつ、止水作動が確実な自動止水装置に関する。
【背景技術】
【０００２】  浴槽等に水道水あるいは給湯器からの湯水を給水する場合、自動止水装置を用いずに給水しようとすると、浴槽内の水位が所定の水位に達したかを時々監視しながら、所定の水位に近づいた後はその場で所定の水位に達するのを待って給水を止める必要があった。
また、例えば特許文献１には、給水手段との連結部を備え、さらに給水口を備えた筒状ケース体の内部に、給水を遮断する栓体と、該栓体の下方側の対向位置に浴槽水位を検知するためのフロートと、フロートの浮上範囲の上限を規制するストッパとを配置し、前記栓体は、上端に前記給水口と連通する給水孔を開閉する栓部と、栓部を給水孔から浮き上がった状態で保持する付勢部材付きの支持ロッドと、支持ロッドの下端に取り付けた第１マグネットとを備え、一方前記フロートには、前記ストッパにより浮上を規制された位置において前記第１マグネットを引き付け且つ栓部が給水孔を閉鎖するように栓体を押し下げるための第２マグネットとを備えた浴槽の自動止水装置が知られている。
【先行技術文献】
【特許文献】
【０００３】
【特許文献１】特開平１１−３４４１４８号公報
【発明の概要】
【発明が解決しようとする課題】
【０００４】  しかし、上述のように、自動止水装置を用いずに浴槽内の水位が所定の水位に達したかを時々監視しながら所定の水位に達したところで給水を止める場合、頻繁に水位を確認する必要があり煩わしいばかりでなく、監視を怠ると浴槽から溢れ出てしまう心配があり、水資源の無駄遣いに繋がり経済的ではなかった。
また、上記の自動止水装置は、給水孔から浮き上がった状態で保持された栓体を付勢部材、即ちスプリング力に抗してマグネットにより押し下げる必要があるため、安定した止水を期待しようとするとマグネット自体が大型化し、結果的に止水装置全体が大型化するとともに、液面の波打ちに対しフロートおよびマグネットが揺らぎ、安定した止水を行うことが難しいという課題を有していた。【０００５】  本発明の課題は、簡単な構成によって確実な止水を可能とするとともに、装置全体を小型化し、かつ、水資源の無駄遣いをなくす自動止水装置を提供することである。
【課題を解決するための手段】
【０００６】  本発明は、以下のような解決手段により、上述した課題を解決する。
請求項１の発明は、給水入口と給水排出口と該給水入口と該給水排出口をつなぐ流路を備えたケースと、前記ケース内に設けられ軸方向に摺動可能に支持されるとともに前記流路を開閉するためのバルブを備えたバルブ本体と、前記ケースに回動可能に支持されるとともに前記バルブ本体と係合し該バルブ本体が軸方向に動くのを阻止するためのフックと、前記バルブ本体を常時閉栓方向に付勢するためのスプリングと、前記フックを前記バルブ本体と係合する方向に回動可能に付勢するためのスプリングと、所定の水位に達したことを検出するフロートと、からなる自動止水装置であって、前記バルブ本体は前記ケースの給水路を開閉するバルブと、該ケースに軸方向に摺動可能に軸支されたバルブ軸と、前記フックと係合しバルブ本体が軸方向に摺動することを阻止するフック当接部とを有するとともに、前記フックは前記バルブ本体のフック当接部と係合可能なバルブ軸係合部と前記フロートが上昇し当接することで上昇方向の動きを回転方向の動きに変換するための当接部とを備え、前記フロートが上昇し前記フックの当接部に当接することで該フックが回転し、バルブ本体とフックの係合が解除されることでバルブが流路を閉栓し止水を可能とすることを特徴とする自動止水装置である。【０００７】  請求項２の発明は、前記ケースは筒状に形成され、前記バルブ本体および前記フックがケースの中心に対して一方に偏心して設けられていることを特徴とする請求項１記載の自動止水装置である。【０００８】  請求項３の発明は、前記ケースには、取り付け位置が調整可能な取り付けフックが設けられていることを特徴とする請求項１または２に記載の自動止水装置である。【０００９】  請求項４の発明は、前記バルブ本体には、バルブ本体のバルブを開栓状態にセットするためのノブが形成されていることを特徴とする請求項１乃至３に記載の自動止水装置である。【００１０】  請求項５の発明は、前記バルブ本体のフック当接部または前記フックのバルブ軸係合部の少なくとも一方にはローラーが設けられ、該ローラーを介して両者が当接するようにしたことを特徴とする請求項１乃至４に記載の自動止水装置である。【００１１】  請求項６の発明は、前記フックの当接部は傾斜面で構成されたことを特徴とする請求項１乃至５に記載の自動止水装置である。【００１２】  請求項７の発明は、前記フックの当接部にはローラーが設けられたことを特徴とする請求項１乃至６に記載の自動止水装置である。
【発明の効果】
【００１３】  本発明によれば、ケースとバルブ本体とフックとフロートと、バルブ本体およびフックに設けられたスプリングとで構成したことにより、極めて簡単な構成でかつコンパクトに自動止水装置を提供することを可能とした。
また、閉栓時にはスプリングの押圧力で流路を閉栓するため、水位の変動や水面の波打ちに対しても確実な止水効果を発揮する。
また、バルブ本体およびフックがケースの中心に対して一方に偏心して設けられていることから、バルブ本体およびフックを更にコンパクトにケースにレイアウトすることができる。
また、ケースには取り付け位置が調整可能な固定用フックが設けられていることから、任意の高さに自動止水装置を取り付けることができる。
また、バルブ本体にはバルブを開栓状態にセットするためのノブが形成されていることから、ノブを引き上げるだけの簡単な操作でバルブを開栓状態にセットすることができる。
また、フック当接部またはバルブ軸係合部の少なくとも一方にはローラーが設けられ、該ローラーを介して両者が当接するようにしたことから、摩擦抵抗や摺動抵抗を低減させ更に装置全体をコンパクトにすることを可能とした。
また、前記フックの当接部にはローラーが設けられたことから、フロートとの当接がローラーを介して行われるため、更に摩擦抵抗や摺動抵抗を低減させフックの動きをより安定させることを可能とした。
【図面の簡単な説明】
【００１４】
【図１】本発明の自動止水装置の使用状態を説明するための斜視図である。
【図２】実施例１の自動止水装置の縦断面図である。
【図３】図２の矢印ＩＩＩ方向からみた実施例１の自動止水装置の縦断面図である。
【図４】バルブ本体のフック当接部および前記フックのフック係合部と当接部にそれぞれローラーを設けた実施例２の要部縦断面図である。
【図５】実施例１および実施例２のケースに設けた取り付けフックを説明するための側面図である。
【図６】実施例１の自動止水装置の作動状態を示す説明図であって、図６（ａ）は水位が上昇しフロートがフックの傾斜部に接触した状態、図６（ｂ）は更に水位が上昇しバルブ本体とフックとの係合が外れる直前の状態、図６（ｃ）は水位が所定水位に達しバルブ本体とフックとの係合が外れバルブが流路を閉栓した状態をそれぞれ示す縦断面図である。
【図７】フックの回転軸をバルブ本体の軸心からオフセットさせて設けた実施例３の要部縦断面図である。
【発明を実施するための形態】
【００１５】  本発明は、簡単な構成によって確実な止水を可能とするとともに、装置全体を小型化し、かつ、水資源の無駄遣いをなくす自動止水装置を提供する課題を、ケースに配置したバルブ本体とフックとフロートと、バルブ本体を閉栓方向に付勢するためのスプリングと、フックをバルブ本体と係合する方向に付勢するためのスプリングとで構成することで解決した。
【実施例１】
【００１６】  以下、本発明の自動止水装置の実施例１について説明する。
図１は、本発明装置を使用するために浴槽に取り付けた状態を説明するための斜視図であって、自動止水装置１は浴槽Ａの側壁に引掛けた状態でホースＢを用いて蛇口Ｃにつないで使用する。【００１７】  自動止水装置１は、図２及び図３に示すように、ケース１０と、該ケース１０内に設けられたバルブ本体２０、フック３０、フロート４０及びバルブ本体２０とフック３０をそれぞれ一方向に付勢するためのスプリング６０、スプリング７０などから構成されている。【００１８】  ケース１０は筒状に形成され、、上部ケース１１と、中央ケース１２及びフロートカバー１３とで構成されている。
上部ケース１１は、前記ホースＢを接続するための給水入口１１ａが上方に突出形成され、そこから給水を可能としている。
また、中央ケース１２は、後述するバルブ本体２０による流路の開栓及び閉栓を可能とするためのバルブ座１２ａ、及び給水入口１１ａから流入した水を浴槽内に排出するための給水排出口１２ｂ、バルブ本体２０を支持するためのバルブ軸支持部１２ｃが形成されるとともに、外周にはフック３０がフロート４０の上昇により回動した際の逃げ孔１２ｅ及びバルブ本体２０のノブ２１ｃが貫通する長円形のノブ孔１２ｆが設けられている。
また、ノブ２１ｃにはストッパ２１ｅが中央ケース１２の側壁に設けられた係合孔１２ｇに係脱可能に設けられ、必要に応じストッパ２１ｅを係合孔１２ｇに係合させることで開栓状態を保持し連続給水を可能とするストッパである。
更に、フロートカバー１３は、複数個の通水孔１３ａが形成された板状の部材で、中央ケース１２内にフロート４０を収納した状態で中央ケース１２の下部を閉塞するよう設けられている。
そして、これら上部ケース１１及び中央ケース１２、フロートカバー１３は、その内部に後述するフック３０などを収納した状態でビスや接着剤などを利用して一体化し、ケース１０を構成している。【００１９】  次に、ケース１０及び該ケース１０内に設けられているバルブ本体２０、フック３０などについて詳細に説明する。
バルブ本体２０は、バルブ軸２１及びその上部に設けられたバルブ２２とから構成され、該バルブ２２はビス２３により、バルブ軸２１に結合されている。また、バルブ軸２１は前記中央ケース１２のバルブ軸支持部１２ｃにて、軸方向即ち上下方向に摺動可能に軸支され、かつ、該バルブ軸２１は、上部ケース１１との間に設けられたスプリング６０により、  バルブ座１２ａに圧着し流路１２ｄを閉塞するよう付勢されている。
また、バルブ軸２１には、軸方向に対し直交する方向に支軸２１ｂが貫通して形成され、その先に前記中央ケース１２のノブ孔１２ｆを貫通するようノブ２１ｃが設けられている。
更に、下端にはフック当接部２１ａが形成されている。【００２０】  フック３０は、上端が中央ケース１２に取り付けられた支軸プレート３０ａに支軸３０ｂにより回動可能に軸支されるとともに、スプリング７０により図２の時計方向に付勢されている。
また、下部には、バルブ軸２１のフック当接部２１ａと係脱可能なバルブ軸係合部３０ｃ、バルブ軸２１に当接し回動を規制するフック係止部３０ｄ、及びフロート４０との当接部３０ｅが傾斜面として形成されている。
尚、支軸プレート３０ａは給水排出口１２ｂとの仕切りも兼ねている。【００２１】  フロート４０は、例えばピンポン玉のような内部が中空の球体からなる樹脂により形成され、フロートカバー１３により中央ケース１２内に収納され、給水時に水面が所定の水位に達するとフック３０の当接部３０ｅに当接し、フロート４０の浮力によりフック３０を回動させバルブ軸２１のフック当接部２１ａとの係合を解除するよう構成されている。【００２２】  固定用フック５０は図５に示すように、ほぼ逆Ｌ字状に形成された引掛けフック５２と、その一面に形成された複数の高さ調整孔５１、５１とからなり、ケース１０の外側面に設けられた複数の高さ調整ピン１４，１４と係脱可能とされ、高さ調整孔５１と高さ調整ピン１４とを任意に選択し係合することで、自動止水装置１を浴槽Ａの所望の高さに調整し取り付けることを可能としている。【００２３】  以下、実施例１の自動止水装置１を浴槽Ａに取り付けて給水する際の動作について、より詳細に説明する。
まず、図１及び図５に示すように、自動止水装置１が所望の高さに取り付けられるよう固定用フック５０の高さ調整孔５１とケース１０の高さ調整ピン１４と予め係合した状態で取り付けられ、この状態でホースＢにより蛇口Ｃとケース１０の給水入口１１ａとをつなぎ浴槽Ａの側壁に引掛けフック５２を引掛けた状態で使用する。【００２４】  次に、図２及び図３に示すようにバルブ本体２０のノブ２１ｃを指で摘まんでスプリング６０の付勢力に抗して図の上方に持ち上げると、フック３０がスプリング７０の付勢力で時計方向に回動しフック係止部３０ｄがバルブ軸２１に当接し、フック当接部２１ａとバルブ軸係合部３０ｃとが係合することでバルブ本体２０は開栓状態にセットされた状態を保持する。【００２５】  この状態で給水を開始すると、水位が自動止水装置１に達するまでは変化はないが、水位が本止水装置１付近に達すると、図６（ａ）のように、自動止水装置１の下部が水に浸り、フロートカバー１３の通水孔１３ａからケース１０の内部に水が入りだしフロート４０を押し上げ、フロート４０はフック３０の当接部３０ｅに当接する。
更に水位が上昇し所望の水位に達すると、図６（ｂ）のように、フロート４０にかかる浮力によりフロート４０はスプリング７０の付勢力に抗してフック３０を反時計方向に回転させ、やがてバルブ軸係合部３０ｃとバルブ本体２０のフック当接部２１ａとの係合が外れる。
すると、図６（ｃ）のように、バルブ本体２０はスプリング６０の付勢力により図の下方に押され、バルブ２２がバルブ座１２ａに当接し流路１２ｄを閉栓し給水を停止する。【００２６】  以上のように、実施例１によれば、ケース１０とバルブ本体２０とフック３０とフロート４０と、バルブ本体２０およびフック３０に設けられたスプリング６０，７０とで構成したことにより、極めて簡単な構成でかつコンパクトに自動止水装置１を提供することを可能とした。
また、閉栓時にはスプリング６０の押圧力及び水圧で流路を完全に閉栓するため、水位の変動や水面の波打ちに対しても確実な止水効果を発揮する。
また、バルブ本体２０およびフック３０がケースの中心に対して一方に偏心して設けられていることから、バルブ本体２０およびフック３０を更にコンパクトにケース１０にレイアウトすることができる。
また、ケース１０には取り付け位置が調整可能な固定用フック５０が設けられていることから、任意の高さに自動止水装置１を取り付けることができる。
また、バルブ本体２０にはバルブ２２を開栓状態にセットするためのノブ２１ｃが形成されていることから、ノブ２１ｃを引き上げるだけの簡単な操作でバルブ２２を開栓状態にセットすることができる。
また、ノブ２１ｃは長円形のノブ孔１２ｆにより、上下方向にスライドし得るものの、回転方向の動きが規制され、バルブ軸２１の廻り止めとしても機能している。
また、フロートカバー１３には複数の通水孔１３ａが設けられていることから、給水時はフロート４０に対して水面の波よけ減衰孔として機能し、フロートの揺れを抑制し所定の水位で安定して閉栓を可能としている。【００２７】  次に、本発明を適用した自動止水装置１の実施例２について説明する。以下、上述した実施例１と実質的に共通する箇所については同じ符号を付して説明を省略し、主に相違点について説明する。
図４に示す実施例２の自動止水装置１は、実施例１のバルブ本体２０のフック当接部２１ａ及びフック３０のバルブ軸係合部３０ｃ、同じく当接部３０ｅには、それぞれ回転可能なローラー２１ｄ、３０ｆ、３０ｇが設けられ、フック当接部２１ａとバルブ軸係合部３０ｃはローラー２１ｄ、３０ｆを介して、また当接部３０ｅとフロート４０とがローラー３０ｇを介して当接するよう構成されている。【００２８】  これにより、フック当接部２１ａとバルブ軸係合部３０ｃ、及び当接部３０ｅとフロート４０との接触がローラー２１ｄ、ローラー３０ｆ、ローラー３０ｇを介して行われるため、摩擦抵抗や摺動抵抗を低減させ実施例１に比べてより安定した作動を可能とした。
また、摩擦抵抗や摺動抵抗が低減することで、フロートのより小さい浮力でも安定した止水動作が保障されるため、自動止水装置１をよりコンパクトにすることができる。【００２９】  次に、本発明を適用した自動止水装置１の実施例３について説明する。以下、上述した実施例１と実質的に共通する箇所については同じ符号を付して説明を省略し、主に相違点について説明する。
図７に示す実施例３の自動止水装置１は、フック３０の支軸３０ｂを、バルブ軸２１の中心から図の左方にオフセットさせて設けた。【００３０】  これにより、バルブ軸２１がスプリング６０により軸方向に付勢されると、フック３０の支軸３０ｂのオフセットによりフック３０にはバルブ軸２１と係合する方向に分力が作用し、バルブ軸２１とフック３０との係合状態がより安定して作用する。【００３１】（変形例）
本発明は、以上説明した実施例に限定されることなく、種々の変形や変更が可能であって、それらも本発明の技術的範囲内である。
例えば、バルブ本体２０のフック当接部２１ａ及びフック３０のバルブ軸係合部３０ｃ、同じく当接部３０ｅに設けたローラー２１ｄ、ローラー３０ｆ、ローラー３０ｇは、必ずしもすべてに設ける必要はなく、いずれか一箇所単独で設けてもよく、またはバルブ軸係合部３０ｃと当接部３０ｅのように二箇所に設けてもよい。
また、フロート４０はフック３０と当接した際に浮力によりフック３０を回動させることができれば球体でなくてもよく、更に、フロート４０の外周でかつ中央ケース１２と接触する部分にはローラーを設けたり、フロート４０自体をナイロンなどの摺動抵抗の小さい材料で形成してもよい。
更に、固定用フック５０に代え吸盤とすれば、高さ調整ピン１４や高さ調整孔５１などが不要になり、装置全体を更に簡略化することができる。
【符号の説明】１        自動止水装置
１０      ケース
１１      上部ケース
１１ａ    給水入口
１２      中央ケース
１２ａ    バルブ座
１２ｂ    給水排出口
１２ｃ    バルブ軸支持部
１２ｄ    流路
１２ｅ    逃げ孔
１２ｆ    ノブ孔
１３      フロートカバー
１３ａ    通水孔
１４      高さ調整ピン
２０      バルブ本体
２１      バルブ軸
２１ａ    フック当接部
２１ｂ    支軸
２１ｃ    ノブ
２１ｄ    ローラー
２２      バルブ
２３      ビス
３０      フック
３０ａ    支軸プレート
３０ｂ    支軸
３０ｃ    バルブ軸係合部
３０ｄ    フック係止部
３０ｅ    当接部
３０ｆ    ローラー
３０ｇ    ローラー
４０      フロート
５０      固定用フック
５１      高さ調整孔
５２      引掛けフック
６０      スプリング
７０      スプリング
Ａ        浴槽
Ｂ        蛇口
Ｃ        給水ホース
【図１】
2012042043.tif 000003
【図２】
2012042043.tif 000004
【図３】
2012042043.tif 000005
【図４】
2012042043.tif 000006
【図５】
2012042043.tif 000007
【図６】
2012042043.tif 000008
【図７】
2012042043.tif 000009